(57)【要約】      （修正有）【課題】偏心荷重が作用しても対象物に安定して取付けられ、強度上も有利な吊りフックを提供する。【解決手段】対象重量物の取付面に対して、平行方向に３６０度自在に回転する回転リング２と、その回転リングの回転軸に対して直角方向同芯位置に対称な２本の軸を設け、この軸にそれぞれ回転ピン受３Ａ，３Ｂを嵌め込む。さらにこの回転ピン受の片側に設けた貫通穴に、差し込みピン４を挿入する。差し込みピンによって連結された回転ピン受は、回転リングの同芯軸を基点として自在に回転可能となる。これらの部品は取付金具１によって対象重量部品に取付けられ、回転リングの抜け止めには耐荷重を有するストップボルト５を設ける。以上のような構造により、２方向に自在に回転する機能を有し、取付面及び吊り下げ方向に対して自在に対応が可能である。【選択図】図６
2006124149.tif 000002
【特許請求の範囲】
【請求項１】
対称方向に２本の同芯軸を有した回転リング１（２）と、その２本の同芯軸に組込まれた回転ピン受Ａ（３Ａ）及び回転ピン受Ｂ（３Ｂ）と、この２つの部品の同芯位置の穴部に差し込まれる差し込みピン（４）と、これらの部品を組込み対象重量物に取付けるための本体金具１（１）と、回転リング１（２）の抜け止めのためのストップボルト（５）の主要部品により構成された、２方向に自在に回転可能とした２軸回転吊りフック。
【請求項２】
対称方向に２本の同芯軸を有した回転リング２（１１）と、その２本の同芯軸に、シンブル受リング（１３）を介して組込まれたシンブル付ワイヤーロープ（１４）と、これらの部品を組込むための本体金具２（１０）及び対象重量物に取付け猶且つ本体金具２（１０）及び回転リング２（１１）の抜け止めのための段付ボルト（１２）の主要部品により構成された、２方向に自在に回転可能とした２軸回転吊りフック。
【発明の詳細な説明】
【図面の簡単な説明】
【技術分野】
【０００１】この発明は、クレーンやワイヤー等の吊り道具を用いて、吊り上げ吊り下し等の作業を行う場合、対象重量物に取付け使用する吊りフックに関するものである。
【背景技術】
【０００２】従来は、アイボルトに代表されるような、対象重量物に単にねじ込んて使用するものがほとんどである。
一部に２方向に回転するものも有るが、吊り下げる方向に対して偏心荷重がかかるため不安定であり又強度上からも不利であった。
【発明が解決しようとする課題】
【０００３】  従来は、次のような欠点があった。
（イ）アイボルトの場合、取付け面より突出したリング部の占有体積が大きく、又一体形状のため取付場所に他の干渉物がない事等の制約があった。
（ロ）アイボルトを複数使用する場合、それぞれのリングの向きを任意方向とする事はリング部とねじ部が一体形状のため、ねじ込み量を加減しない限り不可能である。
ねじ込み量を加減すると、その保証荷重を確保する事が出来ない。
（ハ）２方向に回転する従来の吊りフックの場合、いずれかの方向に偏芯があるため偏荷重がかかり、強度上及び吊下げ状態の安定性上より問題があった。
（ニ）一般的に吊りフックは、２個以上取付けて使用される事が多く、又その取付けられる面方向も一定しない。
このため吊りフックの取付面と吊り下げ方向によっては、非常に大なる危険状態が発生する場合がある。
【課題を解決するための手段】
【０００４】  以下に本発明が、課題を解決する手段について説明する。
（イ）図１は本体金具１（１）の二面図を示す。
軸中心位置にストップボルト（５）用のねじ穴を設ける。
（ロ）図２は回転リング１（２）の二面図を示す。
２本の同芯軸には回転ピン受Ａ（３Ａ）と回転ピン受Ｂ（３Ｂ）が嵌め込まれる。
（ハ）図３は回転ピン受Ａ（３Ａ）及び回転ピン受Ｂ（３Ｂ）の二面図を示す。
それぞれ回転リング１（２）の同芯軸に嵌め込むための穴ａと差し込みピン（４）用の穴ｂを有している。
（ニ）図４は差し込みピン（４）の二面図を示す。
回転ピン受Ａ（３Ａ）と回転ピン受Ｂ（３Ｂ）の、それぞれの穴ｂに挿入するものである。
（ホ）図５はストップボルト（５）の二面図を示す。
対象重量物に対する耐荷重を有し、回転リング１（２）の抜け止め機能を持つものである。
（ヘ）図６は請求項１の場合の取付回転動作状態三面図を示す。
図示のように回転リング１（２）が取付面に対して平行方向に３６０度回転する。又、回転ピン受Ａ（３Ａ）と回転ピン受Ｂ（３Ｂ）及び差し込みピン（４）は、回転リング１（２）の２本の同芯軸を基点として約２００度の回転が可能である。
（ト）図７は本体金具２（１０）の二面図を示す。
中心部に段付ボルト（１２）を挿入するための貫通穴を有している。
（チ）図８は回転リング２（１１）の二面図を示す。
２本の同芯軸にはシンブル受リング（１３）を介して、シンブル付ワイヤーロープ（１４）が嵌め込まれる。
（リ）図９は段付ボルト（１２）の二面図を示す。
取付金具２（１０）の中心位置の貫通穴に挿入して、対象重量物にねじ込みこれを固定し、猶且つ回転リング２（１２）の抜け止めの機能を持つものである。
（ヌ）図１０はシンブル受リング（１３）の二面図を示す。
回転リング２（１２）の２本の同芯軸にそれぞれ嵌め込まれるものである。
（ル）図１１はシンブル付ワイヤーロープ（１４）の斜視図を示す。
ワイヤーロープの両端部にシンブルを組込み、回転リング２（１２）の２本の同芯軸に嵌め込まれたシンブル受リング（１３）に組込む。
（オ）図１２は請求項２の場合の取付回転動作状態三面図を示す。
【発明を実施するための最良の形態】
【０００５】図１３に対象重量物の取付面に対して、垂直方向に吊り下げた状態を示す。
図１４に対象重量物の取付面に２個取付け、４５度方向に吊り下げた状態を示す。
図１５に対象重量物の両側面に各２個取付け、その中心点上１点にて吊下げた状態を示す。
【発明の効果】
【０００６】  本発明による効果は、請求項１及び２共に以下に示す通りである。
（イ）２方向に自在に回転可能な構造となっているため、これを取付ける面及び吊り下げる方向に対して、自在に対応することが出来る。
（ロ）２方向それぞれの同芯軸にて回転可能なため、偏荷重がほとんどかからないので安全確保上有利である。
（ハ）吊り下げる方向に対して死角となる方位に、他の取付突出部所が存在しても、これを制限する必要がない。
（ニ）対象重量物を吊り下げた状態にて反転させる場合、それぞれの吊り方向及び吊り力のバランスが変動しても、これに無理なく対応が可能である。
【図面の簡単な説明】
【図１】本体金具１（１）の平面図と中心断面図を示す。
【図２】回転リング１（２）の平面図と側面図を示す。
【図３】回転ピン受Ａ（３Ａ）及び回転ピン受Ｂ（３Ｂ）の平面図と側面図を示す。
【図４】差し込みピン（４）の平面図と側面図を示す。
【図５】ストップボルト（５）の平面図と側面図を示す。
【図６】本発明の請求項１の２軸回転吊りフックを、対象重量物に取付けた場合の回転動作状態を示す。
【図７】請求項２の本体金具２（１０）の平面図と側面図を示す。
【図８】請求項２の回転リング２（１１）の平面図と側面図を示す。
【図９】請求項２の段付ボルト（１２）の平面図と側面図を示す。
【図１０】請求項２のシンブル受リング（１３）の平面図と側面図を示す。
【図１１】請求項２のシンブル付ワイヤーロープ（１４）の斜視図を示す。
【図１２】本発明の請求項２の２軸回転吊りフックを、対象重量物に取付けた場合の回転動作状態を示す。
【図１３】請求項１及び２の２軸回転吊りフックを、垂直方向に吊り下げた状態を示す。
【図１４】請求項１及び２の２軸回転吊りフックを、一面に２個取付け吊り下げた状態を示す。
【図１５】請求項１及び２の２軸回転吊りフックを、両側面に各２個取付け吊り下げた状態を示す。
【符号の説明】
１    本体金具１                          ２    回転リング１
３Ａ  回転ピン受Ａ                        ３Ｂ  回転ピン受Ｂ
４    差し込みピン                        ５    ストップボルト
６    ワッシャ                            ７    ナットＡ
８    ナットＢ                            ９    取付ボルト
１０    本体金具２                        １１    回転リング２
１２    段付ボルト                        １３    シンブル受リング
１４    シンブル付ワイヤーロープ          １５    ストップリング
１６    ナットＣ
【図１】
2006124149.tif 000003
【図２】
2006124149.tif 000004
【図３】
2006124149.tif 000005
【図４】
2006124149.tif 000006
【図５】
2006124149.tif 000007
【図６】
2006124149.tif 000008
【図７】
2006124149.tif 000009
【図８】
2006124149.tif 000010
【図９】
2006124149.tif 000011
【図１０】
2006124149.tif 000012
【図１１】
2006124149.tif 000013
【図１２】
2006124149.tif 000014
【図１３】
2006124149.tif 000015
【図１４】
2006124149.tif 000016
【図１５】
2006124149.tif 000017